(57)【要約】【課題】見守られる人の異常検知が誤検知の場合、複数の見守る人へ誤検知に基づく異常通知が広がることを防止する。【解決手段】サーバ装置２は、見守られる人Ｍ１に関して異常を検知した場合、複数の見守る人Ｋ１〜Ｋｘへ異常通知情報を送信するが、この際、順序情報が規定する順序で、時間間隔をあけて、異常通知情報を順次送信する。それにより、前の方の順番の人と、後の方の順番の人との間で、異常通知情報が送信されてくるまでに時間差を生じさせ、その間に、見守られる人Ｍ１からの安否応答情報を受信すると、それ以降の順番の未送信先へ異常通知情報の送信を中止する。それにより、誤検知の基づく異常通知情報が必要以上に広がることを防止する。【選択図】図１
2014029629.tif 000002
【特許請求の範囲】
【請求項１】
見守られる人に係る異常検知を行った場合、見守る人に応じた複数の送信先へ異常通知情報を送信すると共に、前記見守られる人に応じた送信元からの安否応答情報を受信できるようにしてあるサーバ装置において、
前記複数の送信先へ異常通知情報を送信する順序を規定した順序情報を記憶する記憶手段と、
前記異常検知を行った場合、前記順序情報が規定する順序で、前記複数の送信先のそれぞれへ異常通知情報を、時間間隔をあけて順次送信する処理を行う送信処理手段と、
前記送信処理手段が異常通知情報を順次送信する処理中に、前記安否応答情報を受信した場合、その時点における異常通知情報の未送信先への送信処理を中止する手段と
を備えることを特徴とするサーバ装置。
【請求項２】
１人の見守られる人に対して一の異常検知及び他の異常検知を行った場合、前記一の異常検知に伴う一の異常通知情報の送信処理及び前記他の異常検知に伴う他の異常通知情報の送信処理の進行中、前記一の異常検知に応じた一の安否応答情報を受信したとき、その時点における前記一の異常通知情報の未送信先への送信処理を中止すると共に、その時点における前記他の異常通知情報の未送信先への送信処理も中止するようにしてある請求項１に記載のサーバ装置。
【請求項３】
見守られる人に係る異常検知を行った場合、見守る人に応じた複数の送信先へ異常通知情報を送信すると共に、前記見守られる人に応じた送信元からの安否応答情報を受信できるようにしてあるサーバ装置において、
前記複数の送信先へ異常通知情報を送信する順序を規定した順序情報を記憶する記憶手段と、
前記異常検知を行った場合、前記順序情報が規定する順序で、前記複数の送信先のそれぞれへ異常通知情報を、時間間隔をあけて順次送信する処理を行う送信処理手段と、
前記送信処理手段が異常通知情報を順次送信する処理中に、前記安否応答情報を受信した場合で、受信した安否応答情報の中身が問題なしを示すものであるとき、その時点における異常通知情報の未送信先への送信処理を中止する手段と
を備えることを特徴とするサーバ装置。
【請求項４】
前記安否応答情報の中身が問題ありを示すものであるとき、その時点における異常通知情報の未送信先への送信処理を続行する手段を備える請求項３に記載のサーバ装置。
【請求項５】
前記記憶手段には、複数の順序情報が記憶してあり、
前記複数の順序情報は、曜日ごとの順序情報であり、
前記異常検知を行った場合、現在の曜日を特定する特定手段を備え、
前記送信処理手段は、前記特定手段が特定した曜日に応じた順序情報が規定する順序に基づき、送信処理を行う請求項１乃至請求項４のいずれか１項に記載のサーバ装置。
【請求項６】
前記記憶手段には、複数の順序情報が記憶してあり、
前記複数の順序情報は、時間帯ごとの順序情報であり、
前記異常検知を行った場合、現在の時間帯を特定する特定手段を備え、
前記送信処理手段は、前記特定手段が特定した時間帯に応じた順序情報が規定する順序に基づき、送信処理を行う請求項１乃至請求項４のいずれか１項に記載のサーバ装置。
【請求項７】
前記見守られる人に応じた送信元に係る位置情報を記憶しており、
前記複数の送信先のそれぞれから位置情報を受信する手段と、
記憶する位置情報及び受信した各位置情報に基づき、前記見守られる人に応じた送信元から各送信先までの距離を算出する算出手段と、
前記算出手段が算出した算出結果に基づき、距離が近い各送信先の順序を特定する順序特定手段と、
前記順序特定手段が特定した順序を、異常通知情報の送信順序として規定した順序情報を作成する作成手段と
を備え、
前記記憶手段には、前記作成手段が作成した順序情報が記憶されるようにしてある請求項１乃至請求項４のいずれか１項に記載のサーバ装置。
【請求項８】
受信した位置情報を記憶する位置情報記憶手段と、
前記位置情報記憶手段が記憶する位置情報を、位置情報を受信するごとに、受信した位置情報に更新する更新手段と
を備え、
前記算出手段は、更新された位置情報に基づき距離を算出する請求項７に記載のサーバ装置。
【請求項９】
前記時間間隔は、前後する順序で後の方の時間間隔が長くなるようにしてある請求項１乃至請求項８のいずれか１項に記載のサーバ装置。
【請求項１０】
サーバ装置が、見守られる人に係る異常検知を行った場合、見守る人に応じた複数の送信先へ異常通知情報を送信すると共に、前記見守られる人に応じた送信元からの安否応答情報を受信できるようにした異常通知方法において、
前記サーバ装置は、
前記複数の送信先へ異常通知情報を送信する順序を規定した順序情報を記憶しており、
前記異常検知を行った場合、前記順序情報が規定する順序で、前記複数の送信先のそれぞれへ異常通知情報を、時間間隔をあけて順次送信する処理を行うステップと、
異常通知情報を順次送信する処理中に、前記安否応答情報を受信した場合、その時点における異常通知情報の未送信先への送信処理を中止するステップと
を備えることを特徴とする異常通知方法。
【請求項１１】
見守る人に応じた複数の送信先へ異常通知情報を送信する順序を規定した順序情報を記憶すると共に、通信手段を有するサーバコンピュータに、見守られる人に係る異常検知を行った場合、前記複数の送信先へ異常通知情報を前記通信手段で送信する処理を行わせると共に、前記見守られる人に応じた送信元からの安否応答情報を前記通信手段で受信できるようにするためのコンピュータプログラムにおいて、
前記サーバコンピュータを、
前記異常検知を行った場合、前記順序情報が規定する順序で、前記複数の送信先のそれぞれへ異常通知情報を、時間間隔をあけて順次送信する処理を前記通信手段を用いて行う手段と、
異常通知情報を順次送信する処理中に、前記安否応答情報を前記通信手段で受信した場合、その時点における異常通知情報の未送信先への送信処理を中止する手段として機能させることを特徴とするコンピュータプログラム。
【発明の詳細な説明】
【技術分野】
【０００１】
本発明は、見守られる人に異常が発生したか否かを、複数の見守る人が遠隔的に確認できるようにしたシステムにおいて、誤検出に伴う異常通知の混乱を防止すると共に、異常発生時において見守られる人への対応を行いやすい順序で異常通知を行えるようにしたサーバ装置、異常通知方法、及びコンピュータプログラムに関する。
【背景技術】
【０００２】
従来、離れて暮らす人（見守られる人）の状況を、複数の人（見守る人）が遠隔的に確認できるようにしたシステム（見守りシステム）が多数存在している。例えば、下記の特許文献１は、見守られる人の宅内に複数の監視用の各種センサを配置すると共に、各種センサの検知結果に基づく異常通知を、通信網及びサーバコンピュータを介して、見守る人の通信端末へ送信することで、見守る人が遠隔的に見守られる人に異常が発生していないか等を確認できるようにしたシステムを開示する。
【０００３】
なお、この種のシステムで用いられる各種センサには、人感センサ、家電関連センサ等がある。人感センサとは、宅内の所定エリア（例えば、日常的に出入りする居間）に見守られる人が立ち入ったかを検知できるようにしたものである。このような人感センサが、一定期間（例えば、一日以上）、立ち入りを検知しない場合は、見守られる人が歩き回れない程の状態になった、すなわち、見守られる人に異常が発生したと推測することができる。
【０００４】
また、家電関連センサとは、通常の生活で日常的に使用される各種電気機器（例えば、冷蔵庫、テレビジョン装置等）の使用状況を検知できるようにしたものである。このような家電関連センサが、一定期間中に使用されたことを検知しない場合（例えば、半日以上、冷蔵庫の扉が開けられたことを検知しない、又はテレビジョン装置の電源がオンされたことを検知しない場合など）は、見守られる人が、冷蔵庫又はテレビジョン装置を使用できない状態になっている、すなわち、見守られる人に異常が発生していると推測できる。
【先行技術文献】
【特許文献】
【０００５】
【特許文献１】特開２００３−１７８３８３号公報
【発明の概要】
【発明が解決しようとする課題】
【０００６】
上述したような各種センサの検知結果に基づく異常通知の中には、誤検知に基づくものが少なからず含まれる。すなわち、センサ自体の故障、又は、たまたま見守られる人が半日以上、冷蔵庫を使用しなかった等で、実際には異常が発生していない状態であるにもかかわらず、異常通知が各見守る人へ送信される場合が起こり得る。このように異常誤検知による異常通知は、複数の見守る人を無用に混乱させるという問題がある。
【０００７】
また、実際に異常が発生した場合における異常通知も、必ずしも見守る人全員に伝えなくても良いと云う場合がある。たとえば、日中は勤務のため、夜間のみ見守られる人の元へ訪問できるという見守る人については、都合の悪い日中に異常を通知すると、困惑させることになるので、日中に都合がつき訪問できるという見守る人へ優先的に異常通知を行った方が、円滑に見守りシステムを運営できることが想定される。
【０００８】
なお、上述した特許文献１には「複数の見守る人（担当者B）に対し電話をかける順番は、異変の起きた対象者Aに応じて予め定められた優先順位に従うのが望ましい」という旨の記載があるが、特許文献１では、優先順位に従って全ての見守る人（担当者B）に電話をかけて連絡するので、上述した異常誤検知が生じると、全ての見守る人（担当者B）に連絡されることになると共に、その時点で、見守りに都合のよい人のみに異常通知を行うことも実現できない。
【０００９】
本発明は、斯かる事情に鑑みてなされたものであり、複数の見守る人へ優先順位を付けて、所定の時間間隔をあけて順次、異常通知を行うと共に、見守られる人から安否応答があれば、その時点で、異常通知を中止することにより、異常誤検知による異常通知を無用に広げることを防止するサーバ装置、異常通知方法、及びコンピュータプログラムを提供することを目的とする。
また、本発明は、優先順位を、曜日、時間帯、又は位置の観点で適宜、動的に切り替えることにより、異常が発生した時点で、都合の良い見守る人へ優先的に異常通知を連絡するようにして、異常対応の迅速化、効率化を図れるようにしたサーバ装置を提供することを目的とする。
【課題を解決するための手段】
【００１０】
上記課題を解決するために本発明に係るサーバ装置は、見守られる人に係る異常検知を行った場合、見守る人に応じた複数の送信先へ異常通知情報を送信すると共に、前記見守られる人に応じた送信元からの安否応答情報を受信できるようにしてあるサーバ装置において、前記複数の送信先へ異常通知情報を送信する順序を規定した順序情報を記憶する記憶手段と、前記異常検知を行った場合、前記順序情報が規定する順序で、前記複数の送信先のそれぞれへ異常通知情報を、時間間隔をあけて順次送信する処理を行う送信処理手段と、前記送信処理手段が異常通知情報を順次送信する処理中に、前記安否応答情報を受信した場合、その時点における異常通知情報の未送信先への送信処理を中止する手段とを備えることを特徴とする。
【００１１】
また、本発明に係るサーバ装置は、１人の見守られる人に対して一の異常検知及び他の異常検知を行った場合、前記一の異常検知に伴う一の異常通知情報の送信処理及び前記他の異常検知に伴う他の異常通知情報の送信処理の進行中、前記一の異常検知に応じた一の安否応答情報を受信したとき、その時点における前記一の異常通知情報の未送信先への送信処理を中止すると共に、その時点における前記他の異常通知情報の未送信先への送信処理も中止するようにしてあることを特徴とする。
【００１２】
さらに、本発明に係るサーバ装置は、見守られる人に係る異常検知を行った場合、見守る人に応じた複数の送信先へ異常通知情報を送信すると共に、前記見守られる人に応じた送信元からの安否応答情報を受信できるようにしてあるサーバ装置において、前記複数の送信先へ異常通知情報を送信する順序を規定した順序情報を記憶する記憶手段と、前記異常検知を行った場合、前記順序情報が規定する順序で、前記複数の送信先のそれぞれへ異常通知情報を、時間間隔をあけて順次送信する処理を行う送信処理手段と、前記送信処理手段が異常通知情報を順次送信する処理中に、前記安否応答情報を受信した場合で、受信した安否応答情報の中身が問題なしを示すものであるとき、その時点における異常通知情報の未送信先への送信処理を中止する手段とを備えることを特徴とする。
【００１３】
さらにまた、本発明に係るサーバ装置は、前記安否応答情報の中身が問題ありを示すものであるとき、その時点における異常通知情報の未送信先への送信処理を続行する手段を備えることを特徴とする。
【００１４】
また、本発明に係るサーバ装置は、前記記憶手段には、複数の順序情報が記憶してあり、前記複数の順序情報は、曜日ごとの順序情報であり、前記異常検知を行った場合、現在の曜日を特定する特定手段を備え、前記送信処理手段は、前記特定手段が特定した曜日に応じた順序情報が規定する順序に基づき、送信処理を行うことを特徴とする。
【００１５】
本発明に係るサーバ装置は、前記記憶手段には、複数の順序情報が記憶してあり、前記複数の順序情報は、時間帯ごとの順序情報であり、前記異常検知を行った場合、現在の時間帯を特定する特定手段を備え、前記送信処理手段は、前記特定手段が特定した時間帯に応じた順序情報が規定する順序に基づき、送信処理を行うことを特徴とする。
【００１６】
本発明に係るサーバ装置は、前記見守られる人に応じた送信元に係る位置情報を記憶しており、前記複数の送信先のそれぞれから位置情報を受信する手段と、記憶する位置情報及び受信した各位置情報に基づき、前記見守られる人に応じた送信元から各送信先までの距離を算出する算出手段と、前記算出手段が算出した算出結果に基づき、距離が近い各送信先の順序を特定する順序特定手段と、前記順序特定手段が特定した順序を、異常通知情報の送信順序として規定した順序情報を作成する作成手段とを備え、前記記憶手段には、前記作成手段が作成した順序情報が記憶されるようにしてあることを特徴とする。
【００１７】
本発明に係るサーバ装置は、受信した位置情報を記憶する位置情報記憶手段と、前記位置情報記憶手段が記憶する位置情報を、位置情報を受信するごとに、受信した位置情報に更新する更新手段とを備え、前記算出手段は、更新された位置情報に基づき距離を算出することを特徴とする。
また、本発明に係るサーバ装置は、前記時間間隔が、前後する順序で後の方の時間間隔が長くなるようにしてあることを特徴とする。
【００１８】
本発明に係る異常通知方法は、サーバ装置が、見守られる人に係る異常検知を行った場合、見守る人に応じた複数の送信先へ異常通知情報を送信すると共に、前記見守られる人に応じた送信元からの安否応答情報を受信できるようにした異常通知方法において、前記サーバ装置は、前記複数の送信先へ異常通知情報を送信する順序を規定した順序情報を記憶しており、前記異常検知を行った場合、前記順序情報が規定する順序で、前記複数の送信先のそれぞれへ異常通知情報を、時間間隔をあけて順次送信する処理を行うステップと、異常通知情報を順次送信する処理中に、前記安否応答情報を受信した場合、その時点における異常通知情報の未送信先への送信処理を中止するステップとを備えることを特徴とする。
【００１９】
本発明に係るコンピュータプログラムは、見守る人に応じた複数の送信先へ異常通知情報を送信する順序を規定した順序情報を記憶すると共に、通信手段を有するサーバコンピュータに、見守られる人に係る異常検知を行った場合、前記複数の送信先へ異常通知情報を前記通信手段で送信する処理を行わせると共に、前記見守られる人に応じた送信元からの安否応答情報を前記通信手段で受信できるようにするためのコンピュータプログラムにおいて、前記サーバコンピュータを、前記異常検知を行った場合、前記順序情報が規定する順序で、前記複数の送信先のそれぞれへ異常通知情報を、時間間隔をあけて順次送信する処理を前記通信手段を用いて行う手段と、異常通知情報を順次送信する処理中に、前記安否応答情報を前記通信手段で受信した場合、その時点における異常通知情報の未送信先への送信処理を中止する手段として機能させることを特徴とする。
【００２０】
本発明にあっては、順序情報が規定する順序で、前記複数の送信先のそれぞれへ異常通知情報を、時間間隔をあけて順次送信するので、順序的に最初の方で異常通知情報を受信することになる見守る人と、最後の方で異常通知情報を受信することになる見守る人との間では、異常通知情報を受信するまでの時間に時間差が生じる。この生じた時間差の間に、サーバ装置が見守られる人からの安否応答情報を受信すると、サーバ装置は、それ以降の順序となる見守る人へ異常通知情報の送信を中止する。そのため、送信を中止した場合は、全ての見守る人へ異常通知情報が届かなくなり、結果として、異常誤検知による異常通知が全ての見守る人へ届くことを防止できるようになり、異常誤検知に伴う無用の混乱が広がることを回避できる。
【００２１】
本発明にあっては、複数の異常検知（一の異常検知及び他の異常検知）を行って、各異常検知に伴い複数の異常通知情報の送信処理を平行的に行っている場合で、一の異常検知に応じた一の安否応答情報を受信すれば、複数の異常通知情報の送信処理の全てを中止するので、複数の異常通知情報が重複的に各見守る人へ連絡されることを防止できるようになる。すなわち、異常検知は、各種センサの検知の有無に基づき行われることから、見守られる人が、元気であるにもかかわらず、たまたま長時間、余り行動しなかった場合、複数回にわたり、誤って異常であると検知される場合が生じるが、一の異常検知に基づく一の安否応答情報の受信により、他の異常検知に基づく他の異常通知情報の送信処理に対しても、それぞれの異常通知情報の送信処理を中止するので、重複的に異常通知情報の連絡が見守る人へ広まるのを未然に回避できるようになる。
【００２２】
本発明にあっては、受信した安否応答情報の中身が問題なしを示す場合に、その時点における異常通知情報の未送信先への送信を中止するので、見守られる人が安全であることを確保した上で、異常誤検知による無用な異常通知が広がるのを防止できるようになる。
また、本発明にあっては、受信した安否応答情報の中身が問題ありを示す場合は、送信順序において、それ以降の順序となる未送信先への異常通知情報の送信を続行するので、見守られる人に関する異常の発生が確実となれば、全ての見守る人へ異常が通知されることになる。その結果、異常の通知が必要な場合は全ての見守る人へ確実に通知して、全ての見守る人への通知を徹底できるようになる。
【００２３】
本発明にあっては、異常検知を行った際の現在の曜日に応じて、使用する順序情報を適宜切り替えるので、異常検知時点における適切な順序で各見守る人へ順次、異常通知情報を送信できるようになる。そのため、曜日ごとの順序情報を、たとえば、各曜日に応じて各見守る人の都合が良い順序と同一となるように送信順序を規定する内容にしておけば、その時点で都合の良い見守る人へ優先的に異常通知を連絡でき、実際に見守られる人を訪問又は救助に出向く必要が生じた場合などにもスムーズに対応できるようになる。
【００２４】
本発明にあっては、異常検知を行った時点における現在の時間帯に応じて、使用する順序情報を適宜切り替えるので、異常検知時の時間帯によっても、適切な順序で各見守る人へ順次、異常通知情報を送信できるようになり、実際に見守られる人を訪問又は救助に出向く必要が生じた場合などにもスムーズに対応できるようになる。
【００２５】
本発明にあっては、見守られる人から各見守る人までの距離の近さに応じた順序で送信する順序を規定した順序情報を作成して記憶するので、見守られる人の近くに位置する見守る人の順序で、異常通知情報が連絡されるようになり、見守られる人の異常に関する緊急度が高い場合などにも、即座に駆けつけやすい見守る人へ優先的に異常を通知でき、緊急時の異常対応を行いやすくなる。
また、本発明にあっては、更新した位置情報に基づき距離を随時算出するので、見守る人の最新の位置に基づき、見守られる人の近い順に、異常通知情報を連絡することができ、緊急時にも迅速な対応を行いやすくなる。
【００２６】
本発明にあっては、順序的に前後する時間間隔の後の方の時間間隔を長くしたので、順序が後になるにつれて、異常通知情報が連絡されるまでの時間が、二次曲線的に長くなり、それにより、最初に連絡が入った人に対して、順序が後の方の見守る人へ連絡が入るまでの時間差が大きくなって、異常通知情報の送信処理が中止される確率が高まり、異常誤検知の場合の無用な連絡の拡散を、より確実に防止できるようになる。
【発明の効果】
【００２７】
本発明にあっては、見守られる人からの安否応答情報を受信した時点で順序的に、それ以降の順序となる見守る人への異常通知情報の送信を中止するので、異常誤検知による異常通知が全ての見守る人へ届くことを防止でき、異常誤検知に伴い無用の混乱が広がることを回避できる。
本発明にあっては、複数の異常検知に伴い複数の異常通知情報の送信処理を平行的に行っている場合、一の異常検知に応じた一の安否応答情報を受信すれば、複数の異常通知情報の送信処理を連動的に中止するので、複数回の異常誤検知による異常通知情報が重複的に拡散することを防止できる。
【００２８】
本発明にあっては、受信した安否応答情報の中身が問題なしを示す場合に、その時点における未送信先への異常通知情報の送信を中止するので、見守られる人が安全である旨を確保した上で、異常誤検知による無用な異常通知の拡散を防止できる。
本発明にあっては、受信した安否応答情報の中身が問題ありを示す場合は、送信順序において、それ以降の順序となる未送信先への異常通知情報の送信を続行するので、見守られる人に異常が発生したという情報を見守る人全員で共有できる。
【００２９】
本発明にあっては、異常検知を行った時の曜日に応じて、使用する順序情報を適宜切り替えるので、そのときの曜日に合わせて適切な順序で、各見守る人へ順次、異常通知を行える。
本発明にあっては、異常検知を行った時の時間帯に応じて、使用する順序情報を適宜切り替えるので、そのときの時間帯に合わせて適切な順序で、各見守る人へ順次、異常通知を行える。
【００３０】
本発明にあっては、見守られる人から各見守る人までの距離の近さに応じた順序で送信する順序を規定した順序情報を作成するので、見守られる人の近くに居る見守る人の順序で異常通知情報を連絡でき、緊急を要する異常に対応しやすい見守る人へ優先的に連絡できる。
また、本発明にあっては、位置情報を更新し、更新した位置情報に基づき距離を随時算出するので、緊急を要する異常事態でも見守る人が迅速な対応を行える。
【００３１】
本発明にあっては、順序的の後の時間間隔を前の時間間隔より長くしたので、順序が後の方の見守る人へ連絡が入るまでに、異常通知情報の送信処理が中止される確率を高めることができ、異常誤検知の場合の無用な連絡の拡散を、より確実に防止できる。
【図面の簡単な説明】
【００３２】
【図１】本発明の実施形態に係るサーバ装置を用いた見守りシステムの概要を示す概略図である。
【図２】見守られる人の宅内に設置されるゲートウェイ装置の主要な内部構成を示すブロック図である。
【図３】接続機器テーブルを示す図表である。
【図４】宅内機器システムに含まれるテレビジョン装置における安否確認情報の表示画面の一例を示す概略図である。
【図５】見守る人に応じた通信端末機器を示し、（ａ）〜（ｃ）は各種情報の表示画面の例を示す概略図である。
【図６】通信端末機器の一例であるスマートフォンの主要な内部構成を示すブロック図である。
【図７】サーバ装置の主要な内部構成を示すブロック図である。
【図８】見守られる人ＤＢ（データベース）を示す図表である。
【図９】（ａ）は複数の異常判断テーブルを含む異常判断ＤＢの概略図であり、（ｂ）は、ある見守られる人用の異常判断テーブルの中身を示す図表である。
【図１０】（ａ）は複数の見守る人テーブルを含む見守る人ＤＢの概略図であり、（ｂ）は、ある見守られる人用の見守る人テーブルの中身を示す図表である。
【図１１】（ａ）は複数の順序テーブルを含む順序ＤＢの概略図であり、（ｂ）は、ある見守られる人用の順序テーブルの中身を示す図表である。
【図１２】（ａ）は複数の異常発生テーブルを含む異常判断ＤＢの概略図であり、（ｂ）は、ある見守られる人用の異常発生テーブルの中身を示す図表である。
【図１３】サーバ装置の異常通知方法に係る一連の処理手順を示すフローチャートである。
【図１４】順序テーブルの変形例を示す図表である。
【図１５】順序テーブルの別の変形例を示す図表である。
【図１６】（ａ）は、作成された順序テーブルを示す図表であり、（ｂ）は、更新された順序テーブルを示す図表である。
【図１７】（ａ）は時間間隔の設定メニューを示す概略図であり、（ｂ）は順序に応じて時間間隔が変わる状況を示すタイムチャートである。
【図１８】変形例の追加処理を示すフローチャートの一部分である。
【図１９】別の変形例の追加処理を示すフローチャートの一部分である。
【発明を実施するための形態】
【実施例１】
【００３３】
図１は、本発明の実施形態に係る見守りシステム１の概要を示している。見守りシステム１は、家屋Ｈ１に居住する人（見守られる人Ｍ１）の状況を、クラウド・コンピューティングサービスを提供するサーバ装置２を介して、複数の見守る人Ｋ１〜Ｋｘが遠隔的に確認できるようにしたものである。家屋Ｈ１には、見守られる人Ｍ１の状況を検知できるように、所定のエリアに人が入ったことを検知する第１人感センサ２１〜第３人感センサ２３、扉の開を検知する扉センサ２４ａを有する冷蔵庫２４、電源オン（電源入り）を検知する装置制御部２５ａを有するテレビジョン装置２５が設置されると共に、これらの各センサ等の検知信号を集約してサーバ装置２へ送信するためのゲートウェイ装置１０が設けられている。
【００３４】
ゲートウェイ装置１０は、外部のネットワークと接続されており、それによりネットワークを通じて各種通信先と通信できるようになっている。そのため、ゲートウェイ装置１０は、テレビジョン装置２５と連携した処理を行うことで、ゲートウェイ装置１０が外部から取得した各種情報を、テレビジョン装置２５の画面に表示することも可能にしている（ゲートウェイ装置１０は、見守られる人に応じた安否応答情報等の送信元に該当）。
【００３５】
一方、見守る人Ｋ１〜Ｋｘは、家屋Ｈ１に居住する見守られる人Ｍ１を遠隔的に見守ることを行う人であり、それぞれ通信端末装置４０〜４ｘを具備している。通信端末装置４０〜４ｘは、通信機能、各種情報の表示機能、操作指示を受け付けるインタフェース機能等の各種機能を有するものであれば、種々の装置を適用することが可能であり、図１では一例として、通信端末装置４０にはパーソナルコンピュータ、通信端末装置４１にはスマートフォン、通信端末装置４２はノート型のパーソナルコンピュータ、通信端末装置４ｘは携帯電話機を示している。なお、見守る人Ｋ１〜Ｋｘとしては、見守られる人Ｍ１と離れて暮らす家族・親戚縁者、見守られる人Ｍ１が居住する地域の自治会の人、民生委員、又は見守られる人が契約する警備会社等の警備員等が該当する。
【００３６】
クラウド・コンピューティングサービスを提供するサーバ装置２は、見守られる人Ｍ１のゲートウェイ装置１０と、複数の見守る人Ｋ１〜Ｋｘの通信端末装置４０〜４ｘとの間の通信を仲介して、各種情報の送受を行うものである。具体的には、見守られる人Ｍ１のゲートウェイ装置１０からの各センサの検知信号の有無に基づき、見守られる人Ｍ１に異常が発生したか否かを検知し、異常を検知した場合、複数の見守る人Ｋ１〜Ｋｘの通信端末装置４０〜４ｘへ異常通知情報を送信し、見守られる人Ｍ１が異常であることを複数の見守る人Ｋ１〜Ｋｘへ通知する（見守る人Ｋ１〜Ｋｘの通信端末装置４０〜４ｘは、サーバ装置２が異常通知情報を送信する複数の送信先に該当）。
【００３７】
また、複数の見守る人Ｋ１〜Ｋｘの通信端末装置４０〜４ｘから送信される異常に対する問い合わせ情報をサーバ装置２が受信すると、サーバ装置２は、問い合わせ情報を見守られる人Ｍ１のゲートウェイ装置１０へ送信することも行う。さらに、サーバ装置２は、異常を検知した場合、安否確認情報を、見守られる人Ｍ１のゲートウェイ装置１０へ送信し、見守られる人Ｍ１が応答可能であれば、ゲートウェイ装置１０から送信される安否応答情報を受信できるようにしている。
【００３８】
サーバ装置２による異常検知は、誤検知であることが起こり得る。その原因としては、見守られる人Ｍ１が、たまたま日常的な生活活動から乖離した行動を取ったため、異常判断を行う上で、異常の条件を満たした場合、若しくはセンサの故障又は断線等によりセンサ等の検知信号がゲートウェイ装置１０へ届かなかった場合などが考えられる。
【００３９】
本発明は、このような異常の誤検知に基づく異常検知が見守る人Ｋ１〜Ｋｘへ広く伝わることを防止すると共に、実際に異常が発生した場合には、複数の見守る人Ｋ１〜Ｋｘの中で対応を取りやすい人へ優先的に異常を通知して、異常発生後の対応をスピーディに行いやすくしたものになっている。なお、図１では、図示内容を簡潔に表すために、見守られる人Ｍ１及び見守る人Ｋ１〜Ｋｘという１つのグループのみを示しているが、実際のサーバ装置２は、このようなグループを複数、管理できるものになっている（図示するグループ以外に、見守られる人Ｍ２及び見守る人Ｋ２０〜Ｋ２０ｘのグループ、見守られる人Ｍ３及び見守る人Ｋ３０〜Ｋ３０ｘのグループ・・・等の複数のグループをサーバ装置２は管理）。以下、本発明の詳細について順次説明する。
【００４０】
図２は、見守られる人Ｍ１の家屋Ｈ１に設置されたゲートウェイ装置１０の主要な内部構成を示している。ゲートウェイ装置１０は、通信制御部１０ａ、メモリ１０ｂ、及び通信インタフェース１０ｃを内部接続線で接続した構成になっている。通信制御部１０ａは、メモリ１０ｂに予め記憶されたファームウェア１１が規定する内容に従って、所定の通信プロトコルに基づき各種通信処理の制御を行っており、具体的には、各センサ等の検知信号をサーバ措置２へ送信する処理を行うと共に、サーバ装置２から送信されてきた情報（見守られる人Ｍ１へ提示する必要のある情報）を受信すると、その情報をテレビジョン装置２５へ送って表示させることなどの制御を行う。
【００４１】
図４は、ゲートウェイ装置１０が受信したサーバ装置２からの安否確認情報２６をテレビジョン装置２５へ送って、画面２５ｂに表示させた例を示している。この安否確認情報２６は、ユーザ（見守られる人Ｍ１）が選択できる選択ボタンを複数有しており、第１選択ボタン２６ａには「元気です。」というテキストが割り当てられており、第２選択ボタン２６ｂには「調子が悪いです。」というテキストが割り当てられており、第３選択ボタン２６ｃには「送信」というテキストが割り当てられている。
【００４２】
図２に戻って説明を続けると、ゲートウェイ装置１０のメモリ１０ｂには、上述したファームウェア１１の他に、ユーザ情報１２、装置ＩＤ１３、接続機器テーブル１４等が記憶されている。ユーザ情報１２とは、見守られる人Ｍ１に関する情報であり、この情報の中には見守られる人Ｍ１を識別するためのユーザＩＤを含んだものになっている。見守りシステム１のサービスに見守られる人Ｍ１が登録すると、サーバ装置２が登録を行った人に対してユーザＩＤを発行するようになっており、ユーザＩＤが発行されると、サーバ装置２からゲートウェイ装置１０へ発行されたユーザＩＤ等を含む情報が送信され、その情報がメモリ１０ｂに記憶されるユーザ情報１２となる。また、装置ＩＤ１３とは、ゲートウェイ装置１０の識別コードを示す情報であり、通信を行う際、他の通信装置等と識別するために使用できる情報となっている。
【００４３】
図３は、メモリ１０ｂに記憶されている接続機器テーブル１４の中身の一例を示している。接続機器テーブル１４は、ゲートウェイ装置１０の通信インタフェース１０ｃに接続中の機器を管理するためのものであり、接続中の機器を識別するための接続ＩＤ、接続されている機器自身の機器ＩＤ、及び接続されている機器の機器名称等が、それぞれ対応付けて格納された内容になっている。なお、このような接続機器テーブル１４は、上述した通信制御部１０ａの制御に基づき作成されており、通信インタフェース１０ｃに機器が接続されると、その接続された機器と、ゲートウェイ装置１０とが相互に情報の送受を行って接続が確立できると、通信制御部１０ａは、その確立された接続に対して接続ＩＤを発行して接続対象に係る情報と対応づけて接続機器テーブル１４へ新たに追加するようにしている。また、接続されていた機器が外されると、通信制御部１０ａは、その外された機器に係る情報を接続機器テーブル１４から削除するようにしている。
【００４４】
ゲートウェイ装置１０の通信インタフェース１０ｃは、周知の通信規格（例えば、Ethernet（登録商標）等による有線の通信規格、若しくはWi-Fi、ZigBee等による無線の通信規格）に基づく通信処理を通信制御部１０ａの制御に従って行うものであり、ＬＡＮケーブルのような通信ケーブルを接続できる複数の接続ポートを有している。本実施形態では、この通信インタフェース１０ｃの各接続ポートのそれぞれに、外部ネットワークへの接続用の接続線Ｌ１０、第１人感センサ２１との接続線Ｌ１、第２人感センサ２２との接続線Ｌ２、第３人感センサ２３との接続線Ｌ３、冷蔵庫２４との接続線Ｌ４、及びテレビジョン装置２５との接続線Ｌ５を接続している。
【００４５】
なお、本実施形態において、第１人感センサ２１は、家屋Ｈ１の居間の天井に設置されており、居間に人が入ると、第１人感センサ２１は人の入りを検知し、検知した旨を示す検知信号を自身の機器ＩＤと共に接続線Ｌ１を介してゲートウェイ装置１０へ送信する。また、第２人感センサ２２は、家屋Ｈ１の台所の天井に設置されており、第１人感センサ２１と同様に、台所に人が入ると、検知した旨を示す検知信号を自身の機器ＩＤと共に接続線Ｌ２を介してゲートウェイ装置１０へ送信する。さらに、第３人感センサ２３は、家屋Ｈ１の洗面室の天井に設置されており、第１人感センサ２１及び第２人感センサ２２と同様に、洗面室に人が入ると、検知した旨を示す検知信号を自身の機器ＩＤと共に接続線Ｌ３を介してゲートウェイ装置１０へ送信する。
【００４６】
接続線Ｌ４を介してゲートウェイ装置１０と接続される冷蔵庫２４は、通信機能を具備しており、扉センサ２４ａが扉の開を検知すると、冷蔵庫２４の通信機能により、検知した旨を示す検知信号を冷蔵庫２４の機器ＩＤと共に接続線Ｌ４を介してゲートウェイ装置１０へ送信する。
【００４７】
接続線Ｌ５を介してゲートウェイ装置１０と接続されるテレビジョン装置２５は通信機能を具備しており、装置制御部２５ａがリモコン装置（図示せず）又は装置本体に設けた電源スイッチの電源オン／オフ操作を検知しており、電源オンの操作がユーザによりなされると、装置制御部２５ａは電源オンを検知して、テレビジョン装置２５の通信機能により、検知した旨を示す検知信号をテレビジョン装置２５の機器ＩＤと共に接続線Ｌ５を介してゲートウェイ装置１０へ送信する。
【００４８】
なお、テレビジョン装置２５は、ゲートウェイ装置１０から提示すべき指示のある情報を受信すると、予めインストールされた見守りシステム用のアプリケーションプログラムにより、受信した情報を画面２５ｂに表示するようになっている。図４に示す安否確認情報２６は、提示すべき指示のある情報の一例であるが、特に、この安否確認情報２６は、テレビジョン装置２５で受信されると、割り込み処理により強制的に表示されるようになっていると共に、テレビジョン装置２５がリモコン装置の電源オン操作待ちの電源オフ状態であっても、安否確認情報２６の受信に伴い、電源オンとなって画面２５ｂに表示されるように、アプリケーションプログラムはプログラミングしている。
【００４９】
また、表示された安否確認情報２６に含まれる各選択ボタン２６ａ〜２６ｃは、リモコン装置（図示せず）に設けられた数字キー、上下左右キー、決定キー等を適宜操作することで、選択できるようになっている。具体的には、第１選択ボタン２６ａ又は第２選択ボタン２６ｂのいずれかが選択された状態で、第３選択ボタン２６ｃが選択されると、「元気です。（見守られる人に「問題なし」という旨を意味）」又は「調子が悪いです。（見守られる人に「問題あり」という旨を意味）」のいずれかを示す信号を、テレビジョン装置２５の装置ＩＤと共に、ゲートウェイ装置１０へ安否応答情報として送信することをアプリケーションプログラムはプログラミングしている。
【００５０】
ゲートウェイ装置１０は、上述したように通信インタフェース１０ｃに接続された各接続線Ｌ１〜Ｌ５を介して、検知信号及び機器ＩＤを受信すると、通信制御部１０ａは、受信した検知信号及び機器ＩＤと、メモリ１０ｂに記憶するユーザＩＤ及びゲートウェイ装置１０の装置ＩＤ１３とをセットにした検知情報を、接続線Ｌ１０を通じてサーバ装置２へ向けて送信する制御処理を行うことになる。また、ゲートウェイ装置１０は、接続線Ｌ１０を通じて、ユーザに提示すべき情報を受信すると、接続線Ｌ５を介して、受信した情報を、提示すべき指示と共にテレビジョン装置２５へ送信する制御処理も行う。
【００５１】
なお、上述したゲートウェイ装置１０等を家屋Ｈ１に設置する見守られる人Ｍ１は、サーバ装置２が提供する見守りシステム１の見守りサービスにユーザ登録する際に、見守られる人Ｍ１の「氏名」、「住所（ＧＰＳ情報）」、「電話番号」、「メールアドレス」、「ネットワークを用いた通信アドレス」、「年齢」、「性別」、「見守る人の氏名」、「見守る人の電話番号」、「見守る人の通信アドレス」、「各センサに係る異常時・正常時の条件」等を、サーバ装置２から提供される質問形式の登録メニューで回答を行うことで、サーバ装置２へ送信しているものとする。この際、見守られる人Ｍ１は、テレビジョン装置２５を用いてこのような登録メニューを画面２５ｂに表示して、各質問に対して、リモコン装置（図示せず）の適宜操作で回答を行うことになり、回答を送信する際には、テレビジョン装置２５の装置ＩＤ及びゲートウェイ装置１０の装置ＩＤ１３を、回答と共に送信することになる。見守りサービスの提供を受けることを希望する各ユーザ（例えば、見守られる人）は、上記のようなユーザ登録の作業を事前に行っておく必要がある。
【００５２】
次に、図１の見守る人Ｋ１〜Ｋｘが用いる通信端末装置４０〜４ｘについて説明する。上述したように、通信端末装置４０〜４０ｘとしては様々なものが適用可能であるので、見守る人Ｋ２が使用する通信端末装置４１のスマートフォンを例にして説明する。
【００５３】
図５（ａ）〜（ｃ）は、見守る人Ｋ２が有する通信端末装置４１（スマートフォン）の外観及び表示画面を示し、図６は、通信端末装置４１（スマートフォン）の本発明の見守りサービスに関係する内部構成を示している。通信端末装置４１（スマートフォン）は、全体的な制御及び各種処理を行うＣＰＵ４１ａに、各種デバイス等を内部接続線で接続したものになっており、各種デバイス等には、通信モジュール４１ｂ、ＲＡＭ４１ｃ、ＲＯＭ４１ｄ、インタフェース部４１ｅ、位置検出部４１ｆ、記憶部４１ｇ等がある。
【００５４】
通信モジュール４１ｂは、無線アンテナを具備しており、ネットワークの中継基地局と無線で通信・通話等を行うための処理を行う通信デバイスである。ＲＡＭ４１ｃは、ＣＰＵ４１ａの処理に伴うデータ、ファイル等を一時的に記憶するものであり、ＲＯＭ４１ｄは、ＣＰＵ４１ａの基本的な処理内容を規定したプログラム等を記憶するものである。
【００５５】
インタフェース部４１ｅは、表示パネル４１ｈ及び操作部４１ｉを接続するものであり、表示用の各種情報をタッチパネル式の表示パネル４１ｈへ出力して、表示すべき内容を表示パネル４１ｈで表示可能にすると共に（図５（ａ）〜（ｃ）の表示例参照）、表示パネル４１ｈ又は操作部４１ｉで受け付けたユーザからの操作内容をＣＰＵ４１ａへ伝える処理を行う。例えば、図５（ａ）に示すような第１ボタン５０ａ（確認ボタン）及び第２ボタン５０ｂ（キャンセルボタン）を有する異常通知情報に応じた異常通知画面５０が表示パネル４１ｈに表示された場合で、ユーザが第１ボタン５０ａに触れると、第１ボタン５０ａの選択操作がなされた旨がＣＰＵ４１ａへ伝えられることになる。
【００５６】
位置検出部４１ｆは、ＧＰＳ（Global Positioning System）を利用して、通信端末装置４１の現在位置を示す位置情報（緯度経度情報等）を取得するものであり、取得した位置情報は、ＲＡＭ４１ｃへ適宜、一時的に記憶されるようになっている。なお、通信端末装置４１の設定によっては、この位置検出部４１ｆで所定の時間間隔（例えば、１５分ごと）で、位置情報の取得を行うようにすることも可能であり、また、取得した位置情報はＲＡＭ４１ｃに記憶され、新たな位置情報の取得ごとに記憶する位置情報は更新される。また、通信端末装置４１は設定により、位置情報を取得するごと（更新するごと）に、通信モジュール４１ｂを用いて、サーバ装置２へ位置情報を送信することも可能である。このように位置情報をサーバ装置２へ送信することで、サーバ装置２では、通信端末装置４１の現在位置を把握できるようになる。
【００５７】
記憶部４１ｇは、登録情報４１ｋ、装置ＩＤ４１ｍ、ファームウェアプログラムＰ１、及び見守りプログラムＰ２等を記憶するメモリである。登録情報４１ｋとは、サーバ装置２から送られてくる見守り人Ｋ２に関する情報であり、上述したように見守られる人Ｍ１は、見守りサービスに登録するために各種情報をサーバ装置２へ送信することになるが、その情報の中には、見守られる人Ｍ１の見守る人Ｋ１〜Ｋｘの情報も含まれている。そのため、見守られる人Ｍ１の登録が完了すると、サーバ装置２は、各見守る人Ｋ１〜Ｋｘにも識別用のＩＤ（見守り人ＩＤ）を発行し、その見守り人ＩＤ等を含む見守り人に関する情報を、見守る人Ｋ１〜Ｋｘが使用する通信端末装置４０〜４ｘへ送信する。このようにサーバ装置２から送信されてきた見守り人に関する情報が、見守りサービスの登録情報４１ｋとして記憶部４２ｇに記憶され、通信端末装置４１がサーバ装置２と通信を行うときに、見守り人Ｋ２を識別するために、見守り人ＩＤ等が通信対象の情報（例えば、位置情報等）と共に送信されることになる。装置ＩＤ４１ｍは、通信端末装置４１の識別コードを示す情報であり、通信を行う際、他の通信装置等と識別するために使用できる情報となっている。
【００５８】
また、ファームウェアプログラムＰ１は、スマートフォンを携帯電話機及び情報端末として機能させるためにＣＰＵ４１ａが行う各種処理を規定したものである。見守りプログラムＰ２は、アプリケーションプログラムの一つであり、本発明に係る見守りサービスを実施する上で、見守る人が用いる通信端末装置用（ＣＰＵ４１ａ用）の処理を規定したものである。具体的には、サーバ装置２から送信されてくる各種通知情報の受信に基づき、図５（ａ）〜（ｃ）に示す各種表示画面５０〜５２等の表示制御をＣＰＵ４１ａを行うことを規定すると共に、各種表示画面５０〜５２等に設けられたボタン５０ａ〜５２ａ等が選択されると、ＣＰＵ４１ａが所要の制御処理を行うことも規定している。
【００５９】
なお、図５（ａ）は、サーバ装置２から送信された異常通知情報を受信すると、割り込み処理により表示パネル４１ｈへ強制的に表示される異常通知情報５０の表示内容である。この異常通知情報５０の表示内容において、第１ボタン５０ａ（確認ボタン）が選択されると、図５（ｂ）の問い合わせ画面５１へ表示が遷移するようになっており、第２ボタン５０ｂ（キャンセルボタン）が選択されると、異常通知情報５０の表示内容が消去され、それ以前の状態に戻るようになっている。
【００６０】
図５（ｂ）の問い合わせ画面５１は、見守られる人への問い合わせ内容を示すデフォルトのテキストと、送信ボタン５１ａ及び編集ボタン５１ｂを有したものになっている。送信ボタン５１ａが選択されると、デフォルトのテキスト内容の問い合わせ情報がサーバ装置２を経由して、見守られる人が使用する装置へ送信されるようになっており、編集ボタン５１ｂが選択されると、別途、テキストの編集画面が表示され、自由にテキスト内容を編集でき、編集した内容で確定すると、再度、問い合わせ画面５１と同等の送信ボタン５１ａ及び編集ボタン５１ｂを有する表示内容に切り替わるようになっている（なお、切り替わった画面では、デフォルトのテキストではなく、編集されたテキストが表示され、この編集されたテキストは、送信ボタンの選択により送信できる）。
【００６１】
また、図５（ｃ）の安否応答情報５２の表示内容は、見守る人の問い合わせに対して見守られる人から送信されてきた応答を示す安否応答情報がサーバ装置２を介して送信されてきたものを示し、終了ボタン５２ａを含んだものになっている。この終了ボタン５２ａが選択されると、図５（ａ）の異常通知情報５０の表示で開始された見守る人側の一連の処理が終了し、一連の処理の開始以前の状態へ戻る。
【００６２】
なお、見守る人Ｋ２以外の他の見守る人Ｋ１等が使用する通信端末装置４０等は、基本的に上述した通信端末装置４１と同等であるが、位置検出部４１ｆは、携帯式でない通信端末装置４０等には具備されないので、そのような装置では、予め登録した住所を示す情報が位置情報としてサーバ装置２へ送信されるようになっている。
【００６３】
図７は、見守りサービスのサーバ装置２の主要な内部構成を示す。本実施形態のサーバ装置２には一般的なサーバコンピュータを適用しており、全体的な制御及び各種処理を行うＭＰＵ２ａに、各種デバイス等を内部接続線２ｈで接続したものになっており、各種デバイス等には、通信モジュール２ｂ、ＲＡＭ２ｃ、ＲＯＭ２ｄ、入力インタフェース２ｅ、出力インタフェース２ｆ、大容量記憶システム（ＨＤＤシステム）２ｇ等がある。
【００６４】
通信モジュール２ｂは、ネットワークとの接続モジュールに相当する通信デバイスであり、所要の通信規格に応じたものである（例えばＬＡＮモジュール）。通信モジュール２ｂは、所要の通信機器（図示は省略。例えばルータ等が該当）を介してネットワークと接続されており、見守られる人Ｍ１のゲートウェイ装置１０、及び見守る人Ｋ１〜Ｋｘが使用する通信端末装置４０〜４ｘとの通信を可能にしている。
【００６５】
ＲＡＭ２ｃは、ＭＰＵ２ａの処理に伴う内容、ファイル等を一時的に記憶するものであり、ＲＯＭ２ｄは、ＭＰＵ２ａの基本的な処理内容を規定したプログラム等を記憶するものである。入力インタフェース２ｅは、サーバ装置２のオペレータからの操作指示等を受け付けるキーボード２ｉ、マウス等が接続されるものであり、オペレータから受け付けた操作指示等をＭＰＵ２ａへ伝える。出力インタフェース２ｆは、ディスプレイ２ｊ（表示出力装置）が接続されるものであり、ＭＰＵ２ａの処理に伴う内容をディスプレイ２ｊへ出力し、オペレータが現在の処理内容等を確認できるようにしている。
【００６６】
大容量記憶システム２ｇ（記憶手段に相当）は、見守りサービスを提供するに当たり必要なデータを含む各種データベース（ＤＢ）及びプログラム等を記憶するものであり、具体的には、サーバプログラムＰ１０、見守りサービスプログラムＰ１１、見守られる人ＤＢ３、異常判断ＤＢ４、見守る人ＤＢ５、順序ＤＢ６、異常発生ＤＢ７、表示情報テーブル８等を記憶している。
【００６７】
サーバプログラムＰ１０は、サーバ用のオペレーションシステムに応じた各種処理を規定したものであり、この規定内容に基づいた処理をＭＰＵ２ａが行うことで、サーバ装置２はサーバコンピュータとしての基本的な機能を果たす。見守りサービスプログラムＰ１１の説明は後述し、先に、見守られる人ＤＢ３等の説明を行う。
【００６８】
図８は、見守られる人ＤＢ３の中身を示している。見守られる人ＤＢ３は、見守りサービスに登録している見守られる人に関する情報を格納したものであり、登録した見守られる人を識別するための「ユーザＩＤ」に、見守られる人が使用する通信用装置（例えば、上述したゲートウェイ装置１０）を識別する「装置ＩＤ」、ユーザの「氏名」、「住所（ＧＰＳ情報も含んでよい）」、「電話番号」、「メールアドレス」、「通信アドレス（サーバ装置２との通信を行う際のアドレス）」、「年齢」、及び「性別」等が格納されている。なお、これらの情報は、見守りサービスの登録時に見守られる人から送られてくる情報であり、この中の必要事項が、上述したユーザ情報１２としてサーバ装置２から各見守られる人の通信用装置（例えば、ゲートウェイ装置１０）へ送信され、保存されている。
【００６９】
図９（ａ）は異常判断ＤＢ４の概要を示している。異常判断ＤＢ４は、登録した見守られる人の異常判断するための情報を格納した異常判断テーブル４ａ〜４ｘを複数格納したものになっており、これら異常判断テーブル４ａ〜４ｘのそれぞれは、登録した見守られる人専用のものとなっており、それぞれのユーザＩＤと対応付けて各異常判断テーブル４ａ〜４ｘが異常判断ＤＢ４の中に格納されている。そのため、ユーザＩＤに基づき、そのユーザＩＤに対応付けられた一つの異常判断デーブルを検索できるようになっている。なお、各異常判断テーブル４ａ〜４ｘの中身は、見守りサービスに登録する際に、見守られる人から回答された情報に基づき構成されている。
【００７０】
図９（ｂ）は一例として、ユーザＩＤが「Ｕ０００００１」の見守られる人Ｍ１用の異常判断テーブル４ａの中身を示している。異常判断テーブル４ａは、機器ＩＤ（図３に示す検知を行うセンサ、装置の機器ＩＤ）ごとに、正常及び異常の条件が格納されたものになっている。例えば、第１人感センサ２１については、「６：００〜１２：００の間に１回以上オン（即ち、見守られる人の立ち入りを検知）」した場合は正常と規定し、「６：００〜１２：００の間にオフのまま（即ち、見守られる人の立ち入りを検知しない）」の場合は異常であると規定した条件になっている。また、第２人感センサ２２及び第３人感センサ２３も、第１人感センサ２１と同等の条件になっている。
【００７１】
冷蔵庫２４に関しては、「９：００〜１２：００の間に１回以上扉開（冷蔵庫の扉を１回以上開けたことを検知）」した場合は正常と規定し、「９：００〜１２：００の間に扉閉のまま（冷蔵庫の扉を開けたことを検知しない）」の場合は異常であると規定した条件になっている。さらに、テレビジョン装置２５に関しては、「７：００〜１２：００の間に１回以上電源オン（即ち、テレビジョン装置を１回以上電源オンしたことを検知）」した場合は正常と規定し、「７：００〜１２：００の間にオフのまま（即ち、テレビジョン装置の電源オンを検知しない）」の場合は異常であると規定した条件になっている。上述した一例の条件は、ユーザＩＤが「Ｕ０００００１」である見守られる人Ｍ１の場合であり、他の見守られる人の条件は、その人の生活様式及び宅内のセンサ等に関する構成等に合わせた内容になっている。
【００７２】
図１０（ａ）は見守る人ＤＢ５の概要を示している。見守る人ＤＢ５は、登録した見守られる人の見守りを行う人の情報を格納した見守る人テーブル５ａ〜５ｘを複数格納したものになっており、これら見守る人テーブル５ａ〜５ｘのそれぞれは、登録した見守られる人専用のものとなっており、それぞれのユーザＩＤと対応付けて各見守る人テーブル５ａ〜５ｘが見守る人ＤＢ５の中に格納されている。そのため、ユーザＩＤに基づき、そのユーザＩＤに対応付けられた一つの見守る人テーブルを検索できるようになっている。なお、各見守る人テーブル５ａ〜５ｘの中身は、見守りサービスに登録する際に、見守られる人から回答された情報に基づき構成されている。
【００７３】
図１０（ｂ）は一例として、ユーザＩＤが「Ｕ０００００１」の見守られる人Ｍ１用の見守る人テーブル５ａの中身を示している。見守る人テーブル５ａは、ユーザＩＤ「Ｕ０００００１」に対応づけられたものであり、その中身は、見守る人を示す「見守る人ＩＤ」ごとに、見守る人の「氏名」、「電話（電話番号）」、「メールアドレス」、「通信アドレス（サーバ装置２との通信を行う際に必要なアドレス）」、「位置情報（住所）」、「装置ＩＤ」等が格納されたものになっている。この中で「位置情報（住所）」は、見守る人の位置を示す情報であり、見守り人の使用する通信端末装置の位置検出部がＧＰＳを利用して位置情報の検出が可能なものであれば、通信端末装置から送信されてくる位置情報が格納されており、ＧＰＳによる位置情報の検出が不可な装置の場合には、登録時にサーバ装置２へ送信された住所の情報が格納されることになる。なお、サーバ装置２は、通信端末装置から位置情報が送信されてくるごとに、「位置情報（住所）」の項目に格納する位置情報を、新たに受信した位置情報に更新している。
【００７４】
図１１（ａ）は順序ＤＢ６の概要を示している。順序ＤＢ６は、複数の見守る人Ｋ１〜Ｋｘの中で、サーバ装置２が異常通知情報を送信する順序を規定したものであり、登録した見守られる人ごとの順序テーブル６ａ〜６ｘが複数格納される。各順序テーブル６ａ〜６ｘは、見守られる人のそれぞれのユーザＩＤと対応付けられて順序ＤＢ６の中に格納されているので、ユーザＩＤにより検索可能となっている。なお、各順序テーブル６ａ〜６ｘの中身も、見守りサービスに登録する際に、見守られる人から回答された情報に基づき構成されている。
【００７５】
図１１（ｂ）は一例として、ユーザＩＤが「Ｕ０００００１」の見守られる人Ｍ１用の順序テーブル６ａの中身を示している。順序テーブル６ａは、第１順序情報部６ａ−１及び第２順序情報部６ａ−２を含んでおり、第１順序情報部６ａ−１は月曜日から金曜日用のものであり、第２順序情報部６ａ−２は週末の土・日曜日用のものになっている。各順序情報部６ａ−１、２は、順序ごとに見守る人ＩＤを対応付けて、送信先の順序を規定したものになっている（各順序情報部６ａ−１、２が複数の順序情報に該当）。なお、第１順序情報部６ａ−１の順序付けは、月曜日から金曜日の平日において見守りの時間を割ける人を優先的に並べたものになっており、第２順序情報部６ａ−２の順序付けは、土・日曜日の週末において、見守りの時間を割ける人を優先的に並べたものになっている。
【００７６】
図１２（ａ）は異常発生ＤＢ７の概要を示している。異常発生ＤＢ７は、サーバ装置２が各見守られる人に対して異常検知を行う中で、異常を検知した場合、検知した異常ごとに、その異常を識別するための異常ＩＤを発行して、検知した異常の状況を管理するための情報を格納した異常発生テーブル７ａ〜７ｘを含んだものになっている。そのため、異常発生テーブル７ａ〜７ｘは異常が発生するごとに、格納される情報が増えていくことになる。なお、各異常発生テーブル７ａ〜７ｘは、見守られる人のそれぞれのユーザＩＤと対応付けられて異常発生ＤＢ７の中に格納されているので、ユーザＩＤにより検索可能となっている。
【００７７】
図１２（ｂ）は一例として、ユーザＩＤが「Ｕ０００００１」の見守られる人Ｍ１用の異常発生テーブル７ａの中身を示している。異常発生テーブル７ａは、ユーザＩＤ「Ｕ０００００１」に対応づけられたものであり、その中身は、検知された異常ごとにサーバ装置２のＭＰＵ２ａで発行された「異常ＩＤ」ごとに、異常を検知した「検知日時」、検知した異常に対する見守られる人の「応答内容」、及び「応答日時」をそれぞれ対応づけたものになっている。
【００７８】
また、図７の大容量記憶システム２ｇに記憶される表示情報テーブル８は、見守られる人又は見守る人へ提示（表示）すべき情報を格納したテーブルになっている。表示情報テーブル８が格納する提示すべき情報の例としては、図４の安否確認情報２６、図５（ａ）の異常通知情報５０、及び図５（ｃ）の安否応答情報５２等がある。
【００７９】
次に、図７の大容量記憶システム２ｇに記憶される見守りサービスプログラムＰ１１について説明する。見守りサービスプログラムＰ１１は、サーバコンピュータであるサーバ装置２が、見守りサービスを提供できるようにするためのプログラムであり、サーバ装置２が見守りサービスに関する各種機能を発揮するように、ＭＰＵ２ａが行うべき各種処理を規定したものになっている。
【００８０】
まず、見守りサービスプログラムＰ１１は、通信モジュール２ｂで随時、各見守られる人の通信装置（例えば、ゲートウェイ装置１０）から送信されてくるセンサ情報（検知信号、機器ＩＤ、見守られる人のユーザＩＤ、ゲートウェイ装置１０の装置ＩＤ１３等を含んだもの）を受信したか否かを、ＭＰＵ２ａが検知することを規定している。また、ＭＰＵ２ａは現在の日時及び曜日等を把握する日時カレンダー機能を具備しており、この日時カレンダー機能と異常判断ＤＢ４に格納される異常判断の条件と、センサ情報の受信の有無とを随時対比して、異常になったか否かを検知することを、見守りサービスプログラムＰ１１は規定している（見守られる人に係る異常検知を行う旨を規定）。
【００８１】
異常検知の具体例としては、ユーザＩＤが「Ｕ０００００１」の見守られる人Ｍ１から、冷蔵庫２４の扉が開かれたことを検知した旨を示す検知信号等を含むセンサ信号を９：００〜１２：００の間に通信モジュール２ｂで受信しなかった場合、ＭＰＵ２ａは、日時カレンダー機能と図９（ｂ）の異常判断テーブル４ａの中身を参照して、異常発生と判断し、異常を検知することになる。
【００８２】
異常を検知した場合、見守りサービスプログラムＰ１１は、検知した異常に対して、異常ＩＤを発行して、異常検知に係るユーザＩＤに対応する異常発生テーブルを異常発生ＤＢ７の中から検索して特定し、特定した異常発生テーブル７ａ（図１２（ｂ）参照）の中に、新たに発行した異常ＩＤを追加すると共に、その追加した異常ＩＤに対応付けて異常を検知した日時を「検知日時」の項目に追加することを規定する。この際、異常検知に係るセンサ、装置の機器ＩＤ、名称等も一緒に格納する。
【００８３】
さらに、見守りサービスプログラムＰ１１は、異常検知した場合に伴って、図４に示す安否確認情報２６を表示情報テーブル８から読み出し、異常検知に係るユーザＩＤに対応する通信アドレスを図８の見守られる人ＤＢ３から特定し、その通信アドレスを用いて、読み出した安否確認情報２６を通信モジュール２ｂを用いて送信する処理を行うことを規定する。なお、この送信処理により、例えば、見守られる人Ｍ１のテレビジョン装置２５には、図４に示すような安否確認情報２６に応じた内容が表示されることになる。
【００８４】
さらにまた、見守りサービスプログラムＰ１１は、異常検知した場合に伴って、現在の曜日を特定すると共に、異常検知に係るユーザＩＤに対応する順序テーブルを順序ＤＢ６の中から検索し、その検索した順序テーブル６ａについて、現在の曜日に合致する順序情報部（第１順序情報部６ａ−１又は第２順序情報部６ａ−２のいずれか）を特定し、その特定した順序情報部を用いて見守る人Ｋ１〜Ｋｘの送信順序を特定する。
【００８５】
そして、見守りサービスプログラムＰ１１は、特定した１番目の送信先を、順序情報部の見守る人ＩＤを参照して、見守る人ＤＢ５の中の見守る人テーブル５ａの見守る人ＩＤに対応付けられた「通信アドレス」を用いて、表示情報テーブル８から読み出した異常通知情報５０を、通信モジュール２ｂを介し送信する処理を行うことを規定する。
【００８６】
なお、この送信処理により、送信順序が１番目の見守る人の通信端末装置には、図５（ａ）に示すような異常通知情報５０に応じた内容が表示されることになる。また、異常通知情報５０の内容が表示された通信端末装置の見守る人が、第１ボタン５０ａを選択して、図５（ｂ）の問い合わせ画面５１を表示させて、送信ボタン５１ａが選択されると、問い合わせ情報がサーバ装置２へ送信されることになる。そのため、見守りサービスプログラムＰ１１は、問い合わせ情報を受信すると、問い合わせ情報を送信した見守る人の見守る人ＩＤを一時的にＲＡＭ２ｃに保存しておくことも規定している。
【００８７】
それから、見守りサービスプログラムＰ１１は、送信処理を行ってから３分が経過したか否かを判断する。この３分は、異常通知情報５０を順番に送信する際の時間間隔に相当し、ＭＰＵ２ａの計時機能により計測されるものである。なお、３分はデフォルトとして設定されている値であり、図示しない設定メニューにより２分〜１０分等の間で、適宜、時間間隔を設定できるようになっている。
【００８８】
３分が経過すると、見守りサービスプログラムＰ１１は、見守られる人Ｍ１から送信される安否応答情報を受信したか否かを判断し、受信していない場合は、以降、次の順序の送信先となる見守る人の通信端末装置（送信先）へ異常通知情報５０を送信することを順次繰り返して処理を進行する旨を規定する。一方、このような処理の進行中に、見守られる人Ｍ１から送信される安否応答情報を受信した場合、見守りサービスプログラムＰ１１は、その時点で、異常通知情報の送信処理を中止し、異常通知情報の未送信先へは異常通知情報を送信しないことを規定している。
【００８９】
なお、安否応答情報を受信した場合、見守りサービスプログラムＰ１１は、その安否応答情報の中身（「元気です」又は「調子が悪いです」）を、異常発生テーブル７ａにおいて異常ＩＤと対応する「応答状況」の項目に格納すると共に、安否応答情報を受信した日時を「応答日時」の項目に格納することも規定している。また、最終的に、安否応答情報を受信しなかった場合（例えば、異常通知情報５０を送信して、１時間を経過して安否応答情報を受信しなかった場合）、見守りサービスプログラムＰ１１は、異常ＩＤと対応する「応答状況」の項目に「応答なし」という旨を格納すると共に、その「応答なし」を格納した日時を「応答日時」の項目に格納することも規定している。
【００９０】
見守りサービスプログラムＰ１１が、上述した処理を行うことにより、全ての見守る人へ異常通知情報を送信する前に、見守られる人から安否応答情報を受信した場合、それ以降の順序の見守る人へは異常通知情報を送信しないので、仮に、その異常通知情報が異常の誤検知に基づくものであれば、必要以上に誤検知に基づく異常通知情報が広がることを防止できる。さらに、異常通知情報を送信する順序は、見守りの時間を割けやすい人の順序に一致したものになっているので、検知した異常が誤検知でない場合は、異常の発生した見守られる人への訪問、救助等へ出向くことを迅速に行えるメリットがある。
【００９１】
なお、見守りサービスプログラムＰ１１は、上述した処理内容を、一つの異常を検知するごとに行うことを規定しており、仮に、二つの異常を同時期に検知した場合は、それぞれの異常に関する上述した処理内容（二つの処理）を、平行的に進めることを規定する。
【００９２】
図１３のフローチャートは、上述した見守りサービスプログラムＰ１１に基づくサーバ装置２による異常通知方法の処理手順を整理したものである。以下、このフローチャートに従って、サーバ装置２の一連の処理を説明する。
【００９３】
まず、サーバ装置２は、見守られる人の通信装置から送信されるセンサ情報の受信の有無等に基づき、見守られる人に異常は発生したか否かの異常検知を行う（Ｓ１）。異常を検知しない場合（Ｓ１：ＮＯ）、引き続き、異常の検知を続行する。また、異常を検知した場合（Ｓ１：ＹＥＳ）、検知した異常に対して異常ＩＤを発行する（Ｓ２）。この際、発行した新たな異常ＩＤを異常発生テーブルに追加すると共に、異常検知日時も異常発生テーブルに登録することになる（図１２（ｂ）参照）。
【００９４】
それから、サーバ装置２は、異常検知に係る見守られる人の通信装置へ安否確認情報を送信し（Ｓ３）、異常が検知された見守られる人に、異常に対する応答を促すための提示を行う（図４参照）。そして、サーバ装置２は、異常検知に係る見守られる人のユーザＩＤ及び現在の曜日を参照して、順序テーブルを特定し（Ｓ４）、特定した順序テーブルの中から使用する順序情報部を決定して、順序（１番目）に応じた送信先を特定する（Ｓ５）。
【００９５】
サーバ装置２は、特定した順序（１番目）の見守る人の送信先（通信端末装置）へ異常通知情報を送信し（Ｓ６）、時間（例えば、３分）が経過したか否かを判断する（Ｓ７）。時間が経過していない場合（Ｓ７：ＮＯ）、時間の経過待ちとなり、時間が経過した場合（Ｓ７：ＹＥＳ）、一連の処理中に、異常検知に係る見守られる人から安否応答情報を受信したか否かを判断する（Ｓ８）。
【００９６】
安否応答情報を受信していない場合（Ｓ８：ＮＯ）、送信順序の中で送信先の残りがあるか否かを判断し（Ｓ９）、送信先の残りがある場合（Ｓ９：ＹＥＳ）、Ｓ５の段階へ戻り、次の送信順序に応じた送信先を特定し、以降、安否応答情報を受信するまで、又は送信先の残りがなくなるまで、上述した異常通知情報に係る送信の処理（Ｓ５〜Ｓ９）を繰り返すことになる。
【００９７】
一方、安否応答情報を受信した場合（Ｓ８：ＹＥＳ）、その時点で、異常通知情報の送信処理を中止し、異常発生テーブルに、安否応答情報の中身と応答日時を格納することになる（図１２（ｂ）参照）。また、送信先の残りが無くなった場合（Ｓ９：ＮＯ）、処理は終了となり、この場合は、異常発生テーブルに、「応答状況」の項目に「応答なし」の旨を格納すると共に、その日時を「応答日時」の項目に格納することになる。
【００９８】
なお、本発明は、上述した実施形態に限定されるものではなく、様々な変形例が存在する。たとえば、図１１（ｂ）に示す順序テーブル６ａでは、曜日ごとに複数の順序情報部を含ませるようにしていたが、時間帯ごと、又は曜日及び時間帯ごとに、それぞれ複数の順序情報部を有する順序テーブルを用いるようにしてもよい。
【００９９】
図１４は、時間帯ごとに複数の順序情報部を含むようにした変形例の順序テーブル６０ａを示している。この順序テーブル６０ａは、ユーザＩＤが「Ｕ０００００１」の見守られる人Ｍ１用のものであり、第１順序情報部６０ａ−１、第２順序情報部６０ａ−２、及び第３順序情報部６０ａ−３を含んでいる（各順序情報部６０ａ−１〜３が複数の順序情報に該当）。第１順序情報部６０ａ−１は６：００〜１２：００までの午前の時間帯用のものであり、第２順序情報部６０ａ−２は１２：００〜１９：００の午後の時間帯用のものであり、第３順序情報部６０ａ−３は１９：００〜６：００の夜間の時間帯用のものである。なお、第１順序情報部６０ａ−１の順序付けは、６：００〜１２：００の時間帯において見守りの時間を割ける人を優先的に並べたものになっており、第２順序情報部６０ａ−２の順序付けは、１２：００〜１９：００の時間帯において、見守りの時間を割ける人を優先的に並べたものになっており、第３順序情報部６０ａ−３の順序付けは、１９：００〜６：００の時間帯において、見守りの時間を割ける人を優先的に並べたものになっている。
【０１００】
このような変形例の順序テーブル６０ａを用いる場合、サーバ装置２の見守りサービスプログラムＰ１１は、異常検知に伴って先ず、異常検知に係る見守られる人用の順序テーブルを検索すると共に、現在の時間帯を特定し、その特定した現在の時間帯に合致する順序情報部（第１順序情報部６０ａ−１、第２順序情報部６０ａ−２、又は第３順序情報部のいずれか）を検索した順序テーブルの中から選定し、その選定した順序情報部を用いて見守る人Ｋ１〜Ｋｘの送信順序を特定することになる。よって、図１４に示す変形例の順序テーブル６０ａを用いた場合では、見守りに対して時間帯ごとに都合のよい人の順で送信先の順序を規定したので、実際に異常が発生した場合、その異常が発生した時間帯において、見守られる人への見守る人による対応をスムーズに行うことができ、見守られる人の元へ迅速な訪問・救助等を行いやすくしている。
【０１０１】
図１５は、曜日及び時間帯ごとに複数の順序情報部を含むようにした別の変形例の順序テーブル６１ａを示している。この順序テーブル６１ａは、ユーザＩＤが「Ｕ０００００１」の見守られる人Ｍ１用のものであり、第１順序情報部６１ａ−１〜第６順序情報部６１ａ−６を含んでいる。第１順序情報部６１ａ−１は月曜日から金曜日の６：００〜１２：００までの午前の時間帯用のものであり、第２順序情報部６１ａ−２は土・日曜日の６：００〜１２：００までの午前の時間帯用のものであり、第３順序情報部６１ａ−３は月曜日から金曜日の１２：００〜１９：００の午後の時間帯用のものであり、第４順序情報部６１ａ−５は土・日曜日の１２：００〜１９：００の午後の時間帯用のものであり、第５順序情報部６１ａ−３は月曜日から金曜日の１９：００〜６：００の夜間の時間帯用のものであり、第６順序情報部６１ａ−６は土・日曜日の１９：００〜６：００の夜間の時間帯用のものである。なお、各順序情報部６１ａ−１〜６の順序付けは、それぞれの曜日の時間帯において見守りの時間を割ける人を優先的に並べたものになっている。
【０１０２】
このような変形例の順序テーブル６１ａを用いる場合、サーバ装置２の見守りサービスプログラムＰ１１は、異常検知に伴って先ず、異常検知に係る見守られる人用の順序テーブルを検索すると共に、現在の曜日及び時間帯を特定し、現在の曜日及び時間帯に合致する順序情報部（第１順序情報部６１ａ−１〜第６順序情報部６１ａ−６のいずれか）を検索した順序テーブルの中から選定し、その選定した順序情報部を用いて見守る人Ｋ１〜Ｋｘの送信順序を特定することになる。よって、図１５に示す変形例の順序テーブル６１ａを用いた場合では、見守りに対して曜日及び時間帯ごとに都合のよい人の順で、より細かく送信先の順序を規定したので、実際に異常が発生した場合、見守られる人への見守る人による対応を一段とスムーズに行うことができる。
【０１０３】
図１６（ａ）（ｂ）は、さらに別の変形例の順序テーブル６２ａ、６２ａ′を示しており、順序テーブル６２ａ、６２ａ′は、各見守る人Ｋ１〜Ｋｘの現在位置に応じて、ユーザＩＤが「Ｕ０００００１」の見守られる人Ｍ１の家屋Ｈ１から近い順に、送信先の順序が規定されたものになっている。すなわち、見守る人Ｋ１〜Ｋｘのいずれかの人は、携帯式の通信端末装置を用いており、通信端末装置と共に移動することがあるので、移動中は、見守られる人Ｍ１の家屋Ｈ１までの距離が随時変わることになる。そのため、サーバ装置２で、各見守る人Ｋ１〜Ｋｘから見守られる人Ｍ１の家屋までの距離を随時、算出し、算出した結果から距離の短い順序（近い順序）を特定し、その特定した順序に応じて送信順序を規定した順序テーブルを作成し、大容量記憶システム２ｇに記憶される順序ＤＢ６の中に格納する。そして、サーバ装置２は、各見守る人Ｋ１〜Ｋｘの位置情報が更新されるごとに、距離の算出を行い、順序テーブルを作成して更新し、更新した順序テーブルを順序ＤＢ６の中に上書きしていく。
【０１０４】
上記のような処理を実現するためには、サーバ装置２の見守りサービスプログラムＰ１１は、図１０（ａ）に示す見守る人ＤＢ５の中の各見守る人テーブルの「位置情報（住所）」の項目が、各見守る人Ｋ１〜Ｋｘの通信端末装置から送信されてくる位置情報を受信することで更新されたか否かを判断しており、更新された場合は、新たな順序テーブルを作成することを規定している。距離の算出は、順序テーブルの「位置情報（住所）」に格納されている情報（住所情報又は緯度経度情報）と、その順序テーブルに対応付けられてユーザＩＤに一致する見守られる人ＤＢ３の「住所（ＧＰＳ情報）」に格納された情報（位置情報：住所情報又は緯度経度情報）とを用いて行うようにしている。このようにして、見守る人Ｋ１〜Ｋｘごとに両者間の距離をサーバ装置２のＭＰＵ２ａが算出し、距離の短い順に順序を特定し、その特定した順序を送信順序として規定した順序テーブルを作成し、順序ＤＢ６に格納する。
【０１０５】
図１６（ａ）は、見守る人からの位置情報の更新に基づき１６：０１の時点で作成された順序テーブル６２ａであり、図１６（ｂ）は、見守る人からの位置情報の更新に基づき１６：１７の時点で作成された順序テーブル６２ａ′である。異常通知情報を通知する際は、最新の順序テーブルを用いて送信順序を特定することになる。それにより、見守られる人Ｍ１の家屋Ｈ１に近くにいる順に見守る人へ異常通知情報が連絡されていくことになり、見守られる人Ｍ１に異常が発生した場合、素早く訪問・救助等を行いやすくなる。なお、異常通知情報の通知処理を開始してから、位置情報を受信した場合は、既に送信順序を特定していることから、新たに作成した順序テーブルを用いると処理が混乱するので、新たに作成した順序テーブルは次回からの処理に用いるようにすることが好適である。
【０１０６】
図１７（ａ）は、異常通知情報を順次送信する場合の順序間の時間間隔を設定する設定メニュー５５であり、この設定メニュー５５はサーバ装置２のオペレータに向けて提示されるものであり、サーバ装置２のＲＯＭ２ｄに記憶されているものとする。この設定メニュー５５では、時間間隔を第１設定欄５５ａで「２分〜１０分」の間で、所要の時間に設定できると共に、第２設定欄５５ｂで追加の時間も「０分〜５分」の間で設定できるようにしたことが特徴になっている。このような設定メニュー５５を用いて、追加の時間を「０分」以外にすると、異常通知情報が通知される時間差を、前後する順序間で前の方の時間間隔に比べて、後の方の時間間隔を長くすることができる。
【０１０７】
追加の時間とは、図１７（ｂ）に示すように、送信順序が後になるほど、時間間隔に累積的に追加されていく時間ｔのことであり、変形例の見守りサービスプログラムＰ１１は、一番目の異常通知情報の送信と、二番目の異常通知情報の送信との時間間隔をＴ（第１設定欄５５ａで設定された時間）にし、二番目の異常通知情報の送信と、三番目の異常通知情報の送信との時間間隔はＴ＋ｔ（第２設定欄５５ｂで設定された追加の時間）にし、三番目の異常通知情報の送信と、四番目の異常通知情報の送信との時間間隔はＴ＋２ｔにし、以降、時間間隔はＴ＋Ｎ×ｔ（Ｎは前の方の送信の順番を示す数から１を引いた数）となる。
【０１０８】
上記のように時間間隔を設定することで、前後する順序で後の方の時間間隔が長くなり、後の送信順序にいくほど、追加の時間が累積されて、時間差が大きくなることから、全ての見守る人に異常通知情報が送信されるまでに、見守られる人からの安否応答情報がサーバ装置２で受信される確率が高くなる。それにより、通知される異常通知情報が誤検知に基づくものであれば、誤検知による異常通知情報の拡散を、より確実に防止できる状況を作り出せる。
【０１０９】
図１８は、変形例の見守りサービスプログラムＰ１１の追加処理手順の一部部分を示し、この変形例では、同一のユーザＩＤ（１人の見守られる人）に対して同時期に複数の異常の検知が行われ、それぞれの異常検知に対する異常通知信号の送信に係る処理が進行していた場合に対応したものになっている（複数の処理が進行中）。具体的には、一の異常検知に伴う一の異常通知信号の送信処理中に、その異常検知に応じた安否応答情報を見守られる人から受信した場合は、他の異常検知に伴う他の異常通知信号の進行中の送信処理においても連動的に、それ以降の異常通知情報の未送信先への送信を中止するようにしたものである。
【０１１０】
図１８に示す変形例の追加処理を示すフローチャートの一部分は、上述した内容の具体的な処理手順を示すものであり、図１３のフローチャートのＳ７の段階と、Ｓ８の段階との間に挿入されるものになっている。すなわち、Ｓ７の段階で時間が経過した場合（Ｓ７：ＹＥＳ）、この変形例では、サーバ装置２は、他に進行中の異常通知信号の送信に係る処理があるか否かを判断する（Ｓ１０）。なお、この判断は、異常検知に係る見守られる人用の異常発生テーブルを図１２（ａ）に示す異常発生ＤＢ７の中から検索すると共に、検索した異常発生テーブルの中の「検知日時」及び「応答日時」の項目に格納された情報等を参照して行うことになる。他に進行中の異常通知信号の送信に係る処理がない場合（Ｓ１０：ＮＯ）、図１３のフローチャートのＳ８の段階へ進み、以降、図１３のフローチャートに従って処理を進めることになる。
【０１１１】
一方、他にも進行中の異常通知信号の送信に係る処理がある場合（Ｓ１０：ＹＥＳ）、次にサーバ装置２は、他の進行中の処理において、安否応答情報を受信により、異常通知信号の送信に係る処理が中止になったか否かを判断する（Ｓ１１）。なお、この判断も、上述した異常発生テーブルの中の「応答状況」及び「応答日時」の項目に格納された情報等を参照して行う。他の進行中の処理が中止になっていない場合（Ｓ１１：ＮＯ）、図１３のフローチャートのＳ８の段階へ進み、以降、図１３のフローチャートに従って処理を進めることになる。また、他の進行中の処理が中止になった場合（Ｓ１１：ＹＥＳ）、その後の処理は「エンド」となり、その時点におけるそれ以降の順序の異常通知情報の送信処理は中止される。
【０１１２】
以上のような処理を追加で行うことで、１人の見守られる人について複数の異常検知に伴う複数の異常通知情報の送信処理が平行的に進行していても、いずれかの処理において、異常通知情報の送信が中止になれば、連動して他の異常通知情報の送信処理も中止されるので、異常通知情報が異常の誤検知に基づくものであっても、誤った異常通知情報が重複的に伝えられることを防止できる。
【０１１３】
また、図１９は、別の変形例の見守りサービスプログラムＰ１１の追加処理手順の一部分を示し、この別の変形例では、異常通知信号の未送信先への送信処理を中止する条件を、見守られる人から送信された安否応答情報の受信だけでなく、その安否応答情報の中身により、中止するか否かを決定するようにしたことが特徴になっている。すなわち、安否応答情報の中身としては、図４の安否確認情報２６に示すように、第１選択ボタン２６ａに係る「元気です。（「問題なし」を意味）」という中身と、第２選択ボタン２６ｂに係る「調子が悪いです。（「問題あり」を意味）」という中身の二種類が存在する。
【０１１４】
この追加の変形例では、安否応答情報の中身が「元気です。（「問題なし」を意味）」であれば、未送信先の見守る人に、異常通知情報を伝えても、必要以上に見守る人に心配させることになるので、その時点で異常通知情報の送信処理を中止する。一方、安否応答情報の中身が「調子が悪いです。（「問題あり」を意味）」であれば、未送信先の見守る人に見守られる人が異常であることを伝えて、見守る人全員に見守られる人の状況に関する情報を共有することに意義があるので、異常通知情報の送信処理を中止せずに続行する。
【０１１５】
図１９に示す変形例の追加処理を示すフローチャートの一部分は、上述した内容の具体的な処理手順を示すものであり、図１３のフローチャートの「Ｓ８：ＹＥＳ」の段階の後に挿入されるものになっている。すなわち、「Ｓ８：ＹＥＳ」の場合（安否応答情報を受信した場合）、サーバ装置２は、受信した安否応答情報の中身が問題なし（元気です）であるか否かを判断する（Ｓ２０）。受信した安否応答情報の中身が問題なし（元気です）でない場合（Ｓ２０：ＮＯ）、すなわち、問題ありの場合、次に、図１３のＳ９の段階へ進み、その時点で異常通知情報の未送信先が存在すれば、異常通知情報の送信処理を続行することになる。
【０１１６】
一方、受信した安否応答情報の中身が問題なし（元気です）である場合（Ｓ２０：ＹＥＳ）、その後の処理は「エンド」となり、その時点におけるそれ以降の順序の異常通知情報の送信処理は中止される。以上のような処理を追加で行うことで、安否応答情報の中身に応じて、異常通知情報の送信処理の中止又は続行が切り替わり、見守る人に対して適切に異常通知情報を連絡することができる。
【０１１７】
また、見守られる人に家屋に構築される異常検知に係るシステムについては、図１、２に示したものは一例にすぎず、他の処理・他のハード構成等を適用することも勿論可能である。たとえば、上述した説明では、見守られる人Ｍ１の家屋Ｈ１に設置された各センサ２１〜２３の検知信号、冷蔵庫２４の扉開の検知信号、及びテレビジョン装置２５の電源オンの検知信号を受信したか否かで、サーバ装置２が見守られる人の異常を検知するようにしたが、各センサ等からの検知信号を中継するゲートウェイ装置１０で異常の有無を判断し、異常有りと判断した場合は、異常有りの信号（異常信号）をゲートウェイ装置１０がサーバ装置２へ送信する仕様にしてもよい。このようにすれば、サーバ装置２はゲートウェイ装置１０からの異常信号の受信の有無のみで、異常検知を行えるようになり、図９（ｂ）に示す異常判断テーブル等に基づく異常判断に係る処理から解放され、処理負担の軽減を図れる。なお、ゲートウェイ装置１０で異常の有無を判断する場合は、図９（ｂ）に示す異常判断テーブル等と同等なものをゲートウェイ装置１０に記憶させて、ゲートウェイ装置１０にて、上述したサーバ装置２に係る異常判断の処理を行わせる必要がある。
【０１１８】
また、他のハード構成の例としては、見守られる人の状況を検知する他の種類のセンサ、装置等を追加してもよく、具体例としては、トイレの使用を検知するセンサ（トイレの扉開閉を検知するセンサ等）を追加することも考えられる。さらに、各種センサは無線によりゲートウェイ装置１０へ検知信号を送信する仕様にすることも可能である。
【０１１９】
さらにまた、図４に示す安否確認情報２６の表示は、テレビジョン装置２５で行うのではなく、表示機能及びゲートウェイ装置１０との通信機能を有する他の装置（例えば、スマートフォン、携帯電話機、パーソナルコンピュータ）で行うようにすることも可能である。加えて、見守られる人の異常を検知する装置（又はセンサ）自体が通信機能を具備する場合は、直接、その装置（又はセンサ）自体がサーバ装置２と通信を行って、ゲートウェイ装置１０を省略した構成にすることも可能である。また、システム構成をシンプルにする場合には、例えば、通信機能を具備するテレビジョン装置２５のみを用いて、見守られる人の異常を検知して、サーバ装置２へ送信する構成も可能である。
【０１２０】
このようにテレビジョン装置２５を用いる場合では、上述したように、図９（ｂ）に示す異常判断テーブル等をテレビジョン装置２５に記憶させ、テレビジョン装置２５で、異常の有無を判断し、異常有りを検出したときは、異常検出の旨をサーバ装置２へ送信して、サーバ装置２の処理負担を低減することも可能である。さらに、このようにテレビジョン装置２５で異常検出を行う場合は、図４に示す安否確認情報２６をテレビジョン装置２５に記憶させて、テレビジョン装置２５自身の異常検出に伴い、安否確認情報２６を表示して、即座に見守られる人からの応答を待つようにしてもよい。このようにした場合、サーバ装置２から安否応答情報２６が送信されてくる場合に比べて、早い時期に見守られる人へ安否確認情報２６を提示できるので、異常が誤検出の場合、異常通知信号の広がりを早期に中止できると共に、異常が本当の場合は、即座に異常を伝える機会を持てるというメリットがある。
【０１２１】
なお、反対に、安否確認情報２６の表示を、図５（ｂ）の見守る人側の問い合わせ画面５１で見守る人が送信ボタン５１ａを選択することで、問い合わせ情報がサーバ装置２へ送信され、それによりサーバ装置２が安否確認情報２６を見守られる人の元へ送信する仕様にすることも可能である。このようにすることで、見守る人が見守られる人に異常が生じたことを確認してから、見守られる人に安否応答情報２６を提示できるので、見守る人の問い合わせに対して、見守られる人が応答するという対応関係にできる。
【０１２２】
また、異常通知情報、安否確認情報等のサーバ装置２を介して送信する各情報は、電子メールにて送受信する仕様にしてもよい。さらに、上述した各変形例は、組み合わせることが可能なもの同士は、組み合わせるようにしてもよく、例えば、図１８の変形例のフローチャートの一部分に係る処理と、図１９の別の変形例のフローチャートの一部分の処理とを組み合わせて、図１８に示す変形例の場合でも、安否応答情報の中身に応じて異常通知情報の送信の中止又は続行を適宜判断するようにしてもよい。
【産業上の利用可能性】
【０１２３】
本発明は、見守られる人に関して異常を検知した場合、サーバ装置２は、複数の見守る人へ同時に異常通知情報を送信するのではなく、順序情報が規定する順序で、時間間隔をあけて、異常通知情報を順次送信することで、複数の見守る人の順序間で、異常通知情報が送信されてくるまでに時間差を生じさせ、その間に、見守られる人からの安否応答情報を受信すると、それ以降の異常通知情報の送信を中止するので、異常通知情報が必要以上に広がらないようにすることに対して好適に利用可能である。
【符号の説明】
【０１２４】
１  見守りシステム
２  サーバ装置
３  見守られる人ＤＢ
４  異常判断ＤＢ
５  見守る人ＤＢ
６  順序ＤＢ
７  異常発生ＤＢ
１０  ゲートウェイ装置
２１〜２３  第１人感センサ〜第３人感センサ
２４  冷蔵庫
２５  テレビジョン装置
４０〜４ｘ  通信端末装置
Ｍ１  見守られる人
Ｋ１〜Ｋｘ  見守る人
Ｐ１１  見守りサービスプログラム
【図１】
2014029629.tif 000003
【図２】
2014029629.tif 000004
【図３】
2014029629.tif 000005
【図４】
2014029629.tif 000006
【図５】
2014029629.tif 000007
【図６】
2014029629.tif 000008
【図７】
2014029629.tif 000009
【図８】
2014029629.tif 000010
【図９】
2014029629.tif 000011
【図１０】
2014029629.tif 000012
【図１１】
2014029629.tif 000013
【図１２】
2014029629.tif 000014
【図１３】
2014029629.tif 000015
【図１４】
2014029629.tif 000016
【図１５】
2014029629.tif 000017
【図１６】
2014029629.tif 000018
【図１７】
2014029629.tif 000019
【図１８】
2014029629.tif 000020
【図１９】
2014029629.tif 000021